【事件の表示】
　特願２００１−３７９３８７「開閉部の噴霧剤の噴霧機構」拒絶査定不服審判事件〔平成１５年７月３日出願公開、特開２００３−１８４４５１〕について、次のとおり審決する。
【結　論】
　本件審判の請求は、成り立たない。
【理　由】
【１】手続の経緯
　本願は、平成１３年１２月１３日の出願であって、平成１７年３月１０日付けで拒絶査定がなされ、これに対し、同年４月１８日に拒絶査定に対する審判請求がなされるとともに、同年５月１８日に手続補正がなされたものである。
　そして、本願の請求項１，２に係る発明は、平成１７年５月１８日付け手続補正書により補正された明細書及び図面の記載からみて、その特許請求の範囲の請求項１，２に記載された事項により特定される以下のとおりのものと認める。
　「【請求項１】扉が取り付けられる枠部材に対して、当該扉が開閉される、二つの空間を仕切るための開閉部と、
　この開閉部の扉に設けられ、内部に噴霧剤が入れられて、押す力により当該噴霧剤を噴射口から噴射させる押し下げ栓を備えた噴霧剤入り容器と、
　上記扉に設けられたＬ字型のプッシュロッドであって、このプッシュロッドはＬ字型の屈曲部分付近で軸支され、このＬ字型の一方をほぼ垂直方向に位置させ他方をほぼ水平方向に位置させ、この軸を中心として当該プッシュロッドは上記枠部材方向に回転付勢され、上記扉が閉じられるとき、このＬ字型のほぼ垂直方向の一方の先端が上記枠部材へ当接し、当該Ｌ字型のほぼ水平方向の他方の先端が上記噴霧剤入り容器の押し下げ栓を押し下げさせるプッシュロッドとを備えたことを特徴とする開閉部の噴霧剤の噴霧機構。
　【請求項２】（記載を省略する。）」（請求項１に係る発明を、以下、「本願発明」という。）
　　
　　
【２】引用刊行物
　原査定の拒絶の理由に引用され、本願出願前に頒布された刊行物である特開２０００−１８９０３３号公報（以下、「引用文献１」という。）には、「移動体取付型自動噴霧装置」に関して、以下の事項が記載されている。
（イ）「【発明の属する技術分野】本発明は、移動体とそれを支持する非移動性構造体との間に生ずる閉動作により、芳香剤、消臭剤、殺菌剤、殺虫剤等を自動的に噴霧できる移動体取付型自動噴霧装置に関する。」（段落【０００１】）
（ロ）「【発明の実施の形態】本発明において、移動体とは、ドア、引戸、蓋等の該移動体を支持する非移動性構造体、例えば壁、枠等との間で開閉動作をおこなう物体を含む意味で使用される。以下本発明を図面に基づいて詳細に説明する。本発明において、噴霧用缶としては、蓄圧タイプのスプレーポンプも使用できる。図１は、移動体に固設された固定ボックス１と該固定ボックスに収納された定量バルブ２とプッシュボタン３付噴霧用ノズル４とを備えた噴霧用缶５およびノズル動作用治具とを備えた移動体取付型自動噴霧装置の説明図である。記号６はプッシュボタン３を駆動する第１の部材を示す。第１の部材６は固定ボックス１の上端部に設けた支点７を中心として回動できるように設置される。第１の部材６は、移動体を支持する非移動性構造体即ち壁に壁側端部８が移動体の閉動作により圧接されると、図１においては、支点７を中心として下方側に移動する。この移動により、第１の部材６の中央部に設けられた突起部９がプッシュボタン３を下方に移動させる。プッシュボタン３の下方移動により定量バルブ２で計量された所定量の液体等が噴霧される。移動体を開動作させると、プッシュボタン内に設けられたスプリング等の弾性体（図示せず）によりプッシュボタンは元の位置に復元する。
　図２は、固定ボックス１の壁２２側上端部に設けた支点７を軸として回動する第１の部材６を示す説明図である。この場合、支点７は第１の部材６の中央部に設けられている。・・・」（段落【０００５】〜【０００６】）
（ハ）「図５は、プッシュボタン３に接する部分を頂点として逆三角形に開いた三角部材１３を設けたノズル動作用治具の説明図である。三角部材１３の開放端側にはスプリング１４を設け、三角部材の壁側端部には、移動体が閉動作したときに壁に圧接される棒状部材１５を設置する。・・・移動体が閉動作すると、棒状部材１５によりおされて三角部材１３の開放端側は閉じるように動作する。三角部材１３の上部には固定ボックス１の天井板１１があるため、プッシュボタン側にある三角部材１３の頂点はプッシュボタン３を押圧するように移動する。これにより噴霧用ノズル４から液体等が噴射される。移動体が開動作すると、壁と棒状部材による圧接がなくなり、三角部材１３の開放端側はスプリング１４により元の位置に復元する。・・・
　図６は、パンダグラフ形状のノズル動作用治具の説明図である。・・・パンダグラフの内側に壁と垂直な方向にスプリング１４を設けたノズル動作用治具である。移動体が閉動作すると、パンダグラフ１６の壁側端部が壁に圧接され、パンダグラフは縦方向に長い菱型となり、この変形によりプッシュボタン３は押圧されて液体等を噴霧用ノズルから噴霧することとなる。移動体が開動作し、壁による圧接が開放されると、パンダグラフ１６は内蔵するスプリング１４により元の位置に復元し、プッシュボタン３は押圧から開放される。なおパンダグラフの壁側端部に棒状部材を設け（図示せず）壁によるパンダグラフの圧接を容易となるようにしてもよい。」（段落【０００８】〜【０００９】）
（ニ）そして、上記（ロ）の「移動体とは、ドア、引戸、蓋等の該移動体を支持する非移動性構造体、例えば壁、枠等との間で開閉動作をおこなう物体を含む意味で使用される」との記載、及び、「ドア、引戸、蓋等」の通常の使用態様を考慮すれば、「移動体」と「非移動性構造体」とで、「二つの空間を仕切るための開閉部」を形成していることは明らかである。
　これら（イ）〜（ニ）の記載等及び図面（特に図２）の記載を含む引用文献１全体の記載並びに当業者の技術常識によれば、引用文献１には、以下の発明が記載されているものと認められる。
　「ドア、引戸、蓋等の開閉動作をおこなう物体を含む移動体が支持される壁、枠等の非移動性構造体に対して、当該移動体が開閉される、二つの空間を仕切るための開閉部と、
　この開閉部の移動体に固設された固定ボックス１に収納され、内部に噴霧剤が入れられて、押す力により当該噴霧剤を噴霧用ノズル４から噴射させるプッシュボタン３を備えた噴霧用缶５と、
　上記移動体に固設された固定ボックス１に設けられた第１の部材６であって、この第１の部材６は中央部分を支点７で軸支され、この支点７を中心として回動できるように設置され、上記移動体が閉じられるとき、この第１の部材６の壁側端部８が上記非移動性構造体へ当接し、当該第１の部材６の他方の端部が上記噴霧剤入り噴霧用缶５のプッシュボタン３を押し下げさせる第１の部材６とを備えた、開閉部の噴霧剤の移動体取付型自動噴霧装置。」（以下、「引用文献１記載の発明」という。）
　　
　　
【３】対比
　本願発明と引用文献１記載の発明とを比較すると、引用文献１記載の発明の「（ドア、引戸、蓋等の開閉動作をおこなう物体を含む）移動体」，「（移動体が支持される壁、枠等の）非移動性構造体」，「移動体に固設された固定ボックス１に収納され」，「噴霧用ノズル４」，「プッシュボタン３」，「噴霧用缶５」，「移動体に固設された固定ボックス１に設けられた」，「支点７」，「支点７で軸支」，「移動体取付型自動噴霧装置」は、本願発明の「扉」，「（扉が取り付けられる）枠部材」，「扉に設けられ」，「噴射口」，「押し下げ栓」，「噴霧剤入り容器」，「扉に設けられた」，「軸」，「軸支」，「噴霧機構」にそれぞれ相当し、
　また、引用文献１記載の発明の「第１の部材６」，「第１の部材６の壁側端部８」，「第１の部材６の他方の端部」と、本願発明の「Ｌ字型のプッシュロッド」，「Ｌ字型のほぼ垂直方向の一方の先端」，「Ｌ字型のほぼ水平方向の他方の先端」とは、「作動方向変換部材」，「作動方向変換部材の一方の先端」，「作動方向変換部材の他方の先端」である点でそれぞれ技術的に共通するとともに、引用文献１記載の発明の「（第１の部材６の）中央部分」と、本願発明の「（Ｌ字型のプッシュロッドの）Ｌ字型の屈曲部分付近」とは、本願発明の「Ｌ字型の屈曲部分付近」が「中央部分」といえるので、「（作動方向変換部材の）中央部分」である点で技術的に共通するから、両者は、
　「扉が取り付けられる枠部材に対して、当該扉が開閉される、二つの空間を仕切るための開閉部と、
　この開閉部の扉に設けられ、内部に噴霧剤が入れられて、押す力により当該噴霧剤を噴射口から噴射させる押し下げ栓を備えた噴霧剤入り容器と、
　上記扉に設けられた作動方向変換部材であって、この作動方向変換部材は中央部分で軸支され、この軸を中心として当該作動方向変換部材は上記枠部材方向に回転され、上記扉が閉じられるとき、この作動方向変換部材の一方の先端が上記枠部材へ当接し、当該作動方向変換部材の他方の先端が上記噴霧剤入り容器の押し下げ栓を押し下げさせる作動方向変換部材とを備えた、開閉部の噴霧剤の噴霧機構。」の点で一致し、次の点で相違している。
＜相違点＞
　本願発明では、作動方向変換部材であるプッシュロッドが、一方をほぼ垂直方向に位置させ他方をほぼ水平方向に位置させたＬ字型であって、これが枠部材方向に回転付勢されて、扉が閉じられるとき、Ｌ字型のほぼ垂直方向の一方の先端が枠部材へ当接し、Ｌ字型のほぼ水平方向の他方の先端が噴霧剤入り容器の押し下げ栓を押し下げさせるものであるのに対して、
　引用文献１記載の発明では、作動方向変換部材である第１の部材６が、Ｌ字型ではなく、これが枠部材方向に回転付勢されておらず、扉が閉じられるとき、第１の部材６の一方の先端が枠部材へ当接し、当該第１の部材６の他方の先端が噴霧剤入り容器の押し下げ栓を押し下げさせるものである点。
　　
　　
【４】判断
　上記相違点につき検討する。
　本願発明において、プッシュロッドが枠部材方向に回転付勢されていることの技術的意義は、扉が再び開けられるときのプッシュロッドの枠部材方向への突出復帰のためであると認められるところ、引用文献１には、図１に示された実施例についての説明中に、「移動体を開動作させると、プッシュボタン内に設けられたスプリング等の弾性体・・・によりプッシュボタンは元の位置に復元する」（上記記載（ロ）を参照。）と記載され、また、図５に示された実施例についての説明中に、「移動体が開動作すると、壁と棒状部材による圧接がなくなり、三角部材１３の開放端側はスプリング１４により元の位置に復元する」（上記記載（ハ）を参照。）と記載され、さらに、図６に示された実施例についての説明中に、「移動体が開動作し、壁による圧接が開放されると、パンダグラフ１６は内蔵するスプリング１４により元の位置に復元し」（上記記載（ハ）を参照。）と記載され、扉が再び開けられるときに、作動方向変換部材である第１の部材６や三角部材１３やパンダグラフ１６を枠部材方向に向けて突出復帰するようにしたことが開示されているから、このようなことを考慮すると、引用文献１記載の発明（図２に示されたもの）において、作動方向変換部材である第１の部材６を枠部材方向に向けて突出復帰するようにすること、即ち、第１の部材６を枠部材方向に回転付勢されるようにすることは、当業者であれば普通に採用する程度のことと認められる。（尚、以下に周知の技術例として示す実公平４−２５９１４号公報及び実願昭５０−１４７４１９号（実開昭５２−６１０６９号）のマイクロフィルムに記載された機構は、何れも、Ｌ字型の部材をバネにより回転付勢している。）
　また、水平方向の動きを垂直方向の動きに変換する作動方向変換部材としてＬ字型の部材を用いることは、扉の技術分野において従来から周知の技術（例えば、実公平４−２５９１４号公報，実願昭５０−１４７４１９号（実開昭５２−６１０６９号）のマイクロフィルム，実願昭６１−１７１１７９号（実開昭６３−７６１９４号）のマイクロフィルム等参照。）であるとともに、このようなＬ字型の部材を用いた機構は、「ベルクランク機構」として広く一般的に採用されているものでもある。
　したがって、上記相違点に係る本願発明の構成は、引用文献１記載の発明に上記のような周知技術を採用することにより、当業者が容易に想到し得たものと認められる。
　 　 
　そして、本願発明全体の効果も、引用文献１記載の発明及び周知技術から当業者が予測し得る範囲のものであって格別なものということができないから、本願発明は、引用文献１記載の発明及び周知技術に基づいて当業者が容易に発明をすることができたものであって、特許法第２９条第２項の規定により特許を受けることができない。
　　
　　
【５】むすび
　以上のとおり、本願発明は、引用文献１記載の発明及び周知技術に基づいて当業者が容易に発明をすることができたものであり、特許法第２９条第２項の規定により特許を受けることができないから、本願の他の請求項に係る発明について検討するまでもなく、本願は、拒絶されるべきものである。
　よって、結論のとおり審決する。